(57)【要約】【課題】製造コストが低く、しかも、観察する角度に応じて異なる視覚効果を発生させるカードを提供すること。【解決手段】透明なカード基体１０と、このカード基体の表面側に積層された遮光性ストライプ画像２０と、カード基体の裏面側に積層された表示層３０とを備えて構成する。遮光性ストライプ画像２０が、多数本の直線状遮光膜２１と、その間のスペース２２とで構成し、直線状遮光膜２１の幅ｄ２１とスペースの幅ｄ２２とを等しくする。表示層３０を第１の表示と第２の表示とで構成し、第１の表示と第２の表示とは、それぞれ、多数本の直線状第１表示構成要素３１及び第２表示構成要素３２とで構成し、それぞれの幅ｄ３１，ｄ３２を直線状遮光膜２１の幅ｄ２１と等しくする。そして、直線状遮光膜２１の幅ｄ２１とカード基体１０の厚みｈとの比（ｄ２１：ｈ）を略２：３とする。【選択図】図３
2020071242.tif 000002
【特許請求の範囲】
【請求項１】
観察角度に応じて視覚効果の異なる可変表示領域を一部に有するカードであって、
前記可変表示領域が、透明なカード基体１０と、このカード基体の表面側に積層された遮光性ストライプ画像２０と、カード基体の裏面側に積層された表示層３０とを備えて構成されており、
前記遮光性ストライプ画像２０が、多数本の直線状遮光膜２１と、この直線状遮光膜２１の間のスペース２２とで構成され、かつ、この直線状遮光膜２１の幅ｄ２１とスペースの幅ｄ２２とが等しく、
前記表示層３０が第１の表示と第２の表示とで構成され、この第１の表示と第２の表示とが互いに異なる視覚効果を発揮するものであり、
第１の表示が、前記直線状遮光膜２１の延びる方向と同一の方向に延びる多数本の直線状構成要素（第１表示構成要素）３１で構成され、直線状のこの第１表示構成要素３１の幅ｄ３１が前記直線状遮光膜２１の幅ｄ２１と等しく、
第２の表示が前記直線状遮光膜２１の延びる方向と同一の方向に延びる多数本の直線状構成要素（第２表示構成要素）３２で構成され、かつ、この第２表示構成要素３２が前記第１表示構成要素３１の間に配置されており、直線状のこの第２表示構成要素３２の幅ｄ３２が前記直線状遮光膜２１の幅ｄ２１と等しく、
前記直線状遮光膜２１の幅ｄ２１と前記カード基体１０の厚みｈとの比（ｄ２１：ｈ）が略２：３である、
ことを特徴とするカード。
【請求項２】
前記第１表示構成要素３１が前記直線状遮光膜２１と位置整合して配置されていることを特徴とする請求項１に記載のカード。
【請求項３】
前記第１表示構成要素３１が、前記直線状遮光膜２１と整合する位置からずれて配置されていることを特徴とする請求項１に記載のカード。
【請求項４】
前記直線状遮光膜２１の幅ｄ２１が１．０ｍｍ以下であることを特徴とする請求項１〜３のいずれかに記載のカード。
【請求項５】
前記第１表示構成要素３１と第２表示構成要素３２とが、いずれも、一様な色彩を有することを特徴とする請求項１〜４のいずれかに記載のカード。
【請求項６】
前記直線状遮光膜２１が黒色インキで構成されていることを特徴とする請求項１〜５のいずれかに記載のカード。
【請求項７】
前記直線状遮光膜２１が光輝性顔料を含むインキ層で構成されていることを特徴とする請求項１〜５のいずれかに記載のカード。
【請求項８】
前記直線状遮光膜２１が金属蒸着層で構成されていることを特徴とする請求項１〜５のいずれかに記載のカード。
【発明の詳細な説明】
【技術分野】
【０００１】
本発明は、観察する角度に応じて異なる視覚効果を生じるカードに関する。例えば、このカードを法線方向から観察したとき一様な色彩のカードとして観察され、これを傾けて観察したとき、一様に別の色彩のカードとして観察できる。
【背景技術】
【０００２】
観察角度に応じて異なる視覚効果を生じるカードは公知である。このような視覚効果を生じるカードは、そうでないカードに比較して、贋造が困難であることから、カードの真偽を確認するセキュリティ効果を発揮する。
【０００３】
このような視覚効果を発生させるための技術は複数知られており、例えば、特許文献１はホログラムを利用して観察する角度に応じて異なる色彩を表示している。ホログラムは、これに入射した光線を反射するとき、その反射光を回折し、その回折反射光が波長分散を生じるため、観察する角度に応じて異なる色彩を表示できるのである。
【０００４】
また、特許文献２はコレステリック液晶を利用して観察する角度に応じて異なる色彩を表示している。コレステリック液晶は螺旋状の分子構造を有しており、この螺旋状分子構造の液晶が反射する光が互いに干渉して特定波長の干渉光を発生する。観察する角度に応じて干渉する反射光間の位相差が異なるため、観察角度を変化させると、異なる波長の干渉光を観察できるのである。
【０００５】
しかしながら、ホログラムは製造コストが高く、また、コレステリック液晶を利用するカードもその製造コストが高い。
【０００６】
また、このほか、パール顔料を含むインキで印刷したり、無機多層蒸着フィルムを貼り付けることにより、観察する角度に応じて異なる視覚効果を発生させる技術もあるが、いずれの技術によってもカード製造コストの上昇をさけることができない。
【先行技術文献】
【特許文献】
【０００７】
【特許文献１】特公平２−４１０３４号公報
【特許文献２】特許第４１７２１９９号公報
【発明の概要】
【発明が解決しようとする課題】
【０００８】
そこで、本発明は、製造コストが低く、しかも、観察する角度に応じて異なる視覚効果を発生させるカードを提供することを目的とする。
【課題を解決するための手段】
【０００９】
すなわち、請求項１に記載の発明は、観察角度に応じて視覚効果の異なる可変表示領域を一部に有するカードであって、
前記可変表示領域が、透明なカード基体１０と、このカード基体の表面側に積層された遮光性ストライプ画像２０と、カード基体の裏面側に積層された表示層３０とを備えて構成されており、
前記遮光性ストライプ画像２０が、多数本の直線状遮光膜２１と、この直線状遮光膜２１の間のスペース２２とで構成され、かつ、この直線状遮光膜２１の幅ｄ２１とスペースの幅ｄ２２とが等しく、
前記表示層３０が第１の表示と第２の表示とで構成され、この第１の表示と第２の表示とが互いに異なる視覚効果を発揮するものであり、
第１の表示が、前記直線状遮光膜２１の延びる方向と同一の方向に延びる多数本の直線状構成要素（第１表示構成要素）３１で構成され、直線状のこの第１表示構成要素３１の幅ｄ３１が前記直線状遮光膜２１の幅ｄ２１と等しく、
第２の表示が前記直線状遮光膜２１の延びる方向と同一の方向に延びる多数本の直線状構成要素（第２表示構成要素）３２で構成され、かつ、この第２表示構成要素３２が前記第１表示構成要素３１の間に配置されており、直線状のこの第２表示構成要素３２の幅ｄ３２が前記直線状遮光膜２１の幅ｄ２１と等しく、
前記直線状遮光膜２１の幅ｄ２１と前記カード基体１０の厚みｈとの比（ｄ２１：ｈ）が略２：３である、
ことを特徴とするカードである。
【００１０】
次に、請求項２に記載の発明は、前記第１表示構成要素３１が前記直線状遮光膜２１と位置整合して配置されていることを特徴とする請求項１に記載のカードである。
【００１１】
次に、請求項３に記載の発明は、前記第１表示構成要素３１が、前記直線状遮光膜２１と整合する位置からずれて配置されていることを特徴とする請求項１に記載のカードである。
【００１２】
次に、請求項４に記載の発明は、前記直線状遮光膜２１の幅ｄ２１が１．０ｍｍ以下であることを特徴とする請求項１〜３のいずれかに記載のカードである。
【００１３】
次に、請求項５に記載の発明は、前記第１表示構成要素３１と第２表示構成要素３２とが、いずれも、一様な色彩を有することを特徴とする請求項１〜４のいずれかに記載のカードである。
【００１４】
次に、請求項６に記載の発明は、前記直線状遮光膜２１が黒色インキで構成されていることを特徴とする請求項１〜５のいずれかに記載のカードである。
【００１５】
次に、請求項７に記載の発明は、前記直線状遮光膜２１が光輝性顔料を含むインキ層で構成されていることを特徴とする請求項１〜５のいずれかに記載のカードである。
【００１６】
次に、請求項８に記載の発明は、前記直線状遮光膜２１が金属蒸着層で構成されていることを特徴とする請求項１〜５のいずれかに記載のカードである。
【発明の効果】
【００１７】
まず、第１表示構成要素３１が前記直線状遮光膜２１と整合して配置されている本発明のカードを例として説明すると、このカードをカード法線方向から観察すると、第１表示構成要素３１が直線状遮光膜２１に遮られ、他方、第２表示構成要素３２は直線状遮光膜２１の間のスペース２２から観察できる。このため、この第２表示構成要素３２の集合で構成される第２の表示が観察できる。なお、直線状遮光膜２１の幅ｄ２１が十分に小さければ、第２の表示を観察する際に直線状遮光膜２１を認知することがない。例えば、第２表示構成要素３２のすべてが一様に赤色の場合には、可変表示領域全面が一様に赤色に観察できる。
【００１８】
これに対し、法線方向に対して４５〜６０度傾けた角度から観察すると、前記直線状遮光膜２１の幅ｄ２１と前記カード基体１０の厚みｈとの比（ｄ２１：ｈ）が略２：３であるため、第２表示構成要素３２が直線状遮光膜２１に遮られ、第１表示構成要素３１がスペース２２から観察できる。直線状遮光膜２１の幅ｄ２１が十分に小さければ、直線状遮
光膜２１を認知することがないから、例えば、第１表示構成要素３１のすべてが一様に青色の場合には、可変表示領域全面が一様に青色に観察できる。
【００１９】
また、法線方向に対してこれ以上傾けた角度から観察すると、第１表示構成要素３１と第２表示構成要素３２のすべてが直線状遮光膜２１に遮られるため、可変表示領域全面が直線状遮光膜２１と同じ色彩に見える。例えば、直線状遮光膜２１が黒色のインキで構成されている場合には、可変表示領域全面が一様に黒色に見える。
【００２０】
また、第１表示構成要素３１が、前記直線状遮光膜２１と整合する位置からずれて配置されているカードの場合には、このカードをカード法線方向から観察すると、第１表示構成要素３１の一部と第２表示構成要素３２の一部とがスペース２２から観察できる。第１表示構成要素３１のすべてが一様に青色で、第２表示構成要素３２のすべてが一様に赤色の場合には、これら青色と赤色とが混色して、可変表示領域全面が一様にその中間の色彩に見える。この色彩は、スペース２２から観察できる第１表示構成要素３１の面積と第２表示構成要素３２の面積の割合に応じて、赤味がかった紫色か、青味がかった紫色である。そして、観察方向を傾けるにつれてその色彩は、赤色、青色及び紫色の間で変化する。その色彩変化の過程は連続的である。
【００２１】
なお、法線方向に対して６０度以上傾けた角度から観察すると、カード全面が直線状遮光膜２１と同じ色彩に見える。例えば、直線状遮光膜２１が黒色のインキで構成されている場合には、可変表示領域全面が直線状遮光膜２１と同じ色彩に見える。
【００２２】
そして、第１表示構成要素３１が前記直線状遮光膜２１との位置関係に拘らず、本発明のカードにおけるこれら直線状遮光膜２１、第１表示構成要素３１及び第２表示構成要素３２は印刷工程等によって形成することができるから、その製造コストが上昇することもない。
【図面の簡単な説明】
【００２３】
【図１】図１は本発明のカードの第１の具体例に係り、その平面図である。
【図２】図２は本発明のカードの第１の具体例に係り、その要部断面図である。
【図３】図３は本発明のカードの第１の具体例に係り、各部材の位置及び寸法を説明するための説明用要部断面図である。
【図４】図４は本発明のカードの第１の具体例に係り、観察角度に応じて観察できる視覚効果の説明図である。
【図５】図５は本発明のカードの第２の具体例に係り、各部材の位置及び寸法を説明するための説明用要部断面図である。
【図６】図６は本発明のカードの第２の具体例に係り、観察角度に応じて観察できる視覚効果の説明図である。
【発明を実施するための形態】
【００２４】
以下、図面を参照して本発明を説明する。図１は本発明のカードの第１の具体例を示す平面図であり、この図から明らかなように、カード１００はその一部に観察角度に応じて視覚効果の異なる可変表示領域Ａを有している。なお、この領域Ａ外には、カードとして必要なその他の要素を配置できる。例えば、カードの種類やカード発行者名等を表示する印刷画像、磁気記録層等である。
【００２５】
図２はこの領域Ａを示す要部断面図である。すなわち、この領域Ａでは、透明なカード基体１０の表面側に遮光性ストライプ画像２０が積層されており、裏面側に表示層３０が積層されている。
【００２６】
ストライプ画像２０は多数本の直線状遮光膜２１と、この直線状遮光膜２１の間のスペース２２とで構成されている。他方、表示層３０が第１の表示と第２の表示とで構成されている。
【００２７】
そして、このカード１００では、表面及び裏面の両方に透明保護層４０，５０が設けられている。
【００２８】
遮光性ストライプ画像２０は、後述するように、カード法線方向から観察したとき、多数本の直線状遮光膜２１で第１の表示を遮り、スペース２２から第２の表示を観察可能とすると共に、法線方向に対して傾けた角度から観察したとき、直線状遮光膜２１で第２の表示を遮り、スペース２２から第１の表示を観察可能とするものである。このため、直線状遮光膜２１の幅ｄ２１とスペース２２の幅ｄ２２とは互いに等しいことが必要である。また、カード法線方向から観察したとき、あるいは傾けた角度から観察したとき、この直線状遮光膜２１が視認できないように、直線状遮光膜２１の幅ｄ２１は十分に小さいことが望ましい。例えば、１．０ｍｍ以下である。なお、この場合には、スペース２２の幅ｄ２２も、もちろん、１．０ｍｍ以下である。
【００２９】
次に、第１の表示と第２の表示とは、観察角度に応じてそのいずれか一方が観察できるように配置されたもので、両者は互いに異なる視覚効果を発揮するものである。例えば、第１の表示を一様に青色とし、第２の表示を一様に赤色とすれば、この両表示は色彩の点において、互いに異なる視覚効果を発揮する。また、第１の表示を風景とし、第２の表示をキャラクタとするように、両表示を別画像とすることもできる。
【００３０】
そこで、まず、第１の表示について説明すると、図３に示すように、この第１の表示は多数本の直線状構成要素（第１表示構成要素）３１を配列して構成されている。この直線状の第１表示構成要素３１の延びる方向は前記直線状遮光膜２１の延びる方向と同一の方向である。また、その幅ｄ３１も前記直線状遮光膜２１の幅ｄ２１と等しい。そして、この直線状の第１表示構成要素３１は前記直線状遮光膜２１と位置整合して配置されている。
【００３１】
このため、カード法線方向から観察した場合、この第１表示構成要素３１は直線状遮光膜２１の陰に隠れて観察することができない。なお、以上の説明から明らかなように、この第１表示構成要素３１の間は前記スペース２２と位置整合して配置されており、その幅もスペース２２の幅ｄ２２と等しい。
【００３２】
一方、カード法線方向に対して４５〜６０度傾けた角度から観察すると、この多数本の第１表示構成要素３１は、そのすべてをスペース２２から観察することができる。そして、このように観察される第１表示構成要素３１のすべての集合によって、前記第１の表示を観察できることになる。
【００３３】
第２の表示も多数本の直線状構成要素（第２表示構成要素）３２を配列して構成されている。この直線状の第２表示構成要素３２は、前記第１表示構成要素３１の間に配置されている。このため、その延びる方向は、直線状の前記第１表示構成要素３１の延びる方向と同じであり、その幅ｄ３２は第１表示構成要素３１の間の幅、すなわち、前記スペース２２と等しい。このため、第２表示構成要素３２は前記スペース２２と位置整合して配置されており、カード法線方向から観察した場合、この多数本の第２表示構成要素３２のすべてをスペース２２から観察することができる。そして、このように観察される第２表示構成要素３２のすべての集合によって、前記第２の表示を観察できることになる。一方、カード法線方向に対して４５〜６０度傾けた角度から観察すると、この多数本の第２表示構成要素３１は直線状遮光膜２１の陰に隠れて観察することができない。
【００３４】
ところで、直線状遮光膜２１の幅ｄ２１とスペース２２の幅ｄ２２とは互いに等しく、第１表示構成要素３１幅ｄ３１及び第２表示構成要素３２の幅ｄ３２も直線状遮光膜２１の幅ｄ２１と等しいから、これら各ｄ２１，ｄ２２，ｄ３１，ｄ３２はすべて等しい。
【００３５】
次に、カード基体１０は、カード１００の基材であると共に、両ストライプ画像２０，３０を互いに離隔させて、観察角度に応じて第１表示層３２と第２表示層３２のいずれか一方を観察可能とする機能を持つものである。すなわち、カード法線方向から観察したとき第２の表示を観察でき、法線方向に対して４５〜６０度傾けた角度から観察したとき第１の表示層を観察できるようにするため、前記直線状遮光膜２１の幅ｄ２１と前記カード基体１０の厚みｈとの比（ｄ２１：ｈ）を略２：３とする必要がある。
【００３６】
このカード１００は、前記比ｄ２１：ｈが略２：３であり、前記幅ｄ２１，ｄ２２，ｄ３１，ｄ３２がすべて等しく、しかも、第１表示構成要素３１が前記直線状遮光膜２１と位置整合して配置されているため、カード法線方向から観察すると、第２表示構成要素３２の集合で構成される第２の表示を観察できる。例えば、これら第２表示構成要素３２のすべてが一様に赤色の場合には、可変表示領域Ａ全面が一様に赤色に観察できる（図４（ａ）参照）。また、第２表示構成要素３２の集合で構成される第２の表示がキャラクタの画像であれば、このキャラクタを観察することができる。
【００３７】
また、法線方向に対して４５〜６０度傾けた角度から観察すると、第１表示構成要素３１の集合で構成される第１の表示を観察できる。例えば、これら第１表示構成要素３１のすべてが一様に青色の場合には、可変表示領域Ａ全面が一様に青色に観察できる（図４（ｂ）参照）。
【００３８】
なお、６０度を超えて傾けた角度から観察した場合には、カード全面が一様に遮光性ライン２１の色彩に見える（図４（ｃ）参照）。
【００３９】
次に、図５〜図６を参照して、本発明の第２の具体例を説明する。この例は、前記第１表示構成要素３１を、前記直線状遮光膜２１と整合する位置からずれて配置したもので、その他は第１の具体例と同様である。
【００４０】
すなわち、図５に示すように、この例では、第１表示構成要素３１の端縁と直線状遮光膜２１の端縁との間の距離ｄ２３が前記直線状遮光膜２１の幅ｄ２１の１／２となるように、第１表示構成要素３１の位置をずらして配置している。
【００４１】
このカード１００をカード法線方向から観察すると、第１表示構成要素３１の一部と第２表示構成要素３２の一部とがスペース２２から観察できる。第１表示構成要素３１のすべてが一様に青色で、第２表示構成要素３２のすべてが一様に赤色の場合には、これら青色と赤色とが混色して、可変表示領域Ａ全面が一様にその中間の色彩に見える。この色彩は、スペース２２から観察できる第１表示構成要素３１の面積と第２表示構成要素３２の面積の割合に応じて、赤味がかった紫色か、青味がかった紫色である。そして、観察角度を傾けるにつれてその色彩は、赤色、青色及び紫色の間で変化する。その色彩変化の過程は連続的である。なお、観察角度が６０度を超えると、可変表示領域Ａ全面が直線状遮光膜２１の色彩に見える。
【００４２】
次に、カード基体１０としては、ポリエチレンテレフタレート（ＰＥＴ）、ポリ塩化ビニル（ＰＶＣ）、ポリカーボネート（ＰＣ）、塩化ビニル・酢酸ビニル共重合体、アクリルニトリル・ブタジエン・スチレン共重合体（ＡＢＳ）樹脂や、環境を配慮したポリ乳酸などの樹脂シートが使用できる。
【００４３】
直線状遮光膜２１はカード基体１０に印刷することによって形成することができる。例えば、黒色あるいは光吸収性の高い濃色の印刷インキで印刷形成することができる。また、金属粉末やパール顔料等の光輝性顔料を含むインキで印刷形成してもよい。
【００４４】
また、この直線状遮光膜２１を金属蒸着層で構成することも可能である。この場合には、転写印刷法を利用して直線状遮光膜２１を形成することができる。すなわち、転写箔基材上に剥離層を介して金属蒸着層を形成し、この金属蒸着層を直線状遮光膜２１のパターンにパターニングした後、接着剤層を形成して転写箔とする。次にこの転写箔から金属蒸着層をカード基体１０に転写することによって直線状遮光膜２１を形成することができる。なお、金属蒸着層をパターニングする方法は周知であり、例えば、金属蒸着層上に直線状遮光膜２１の形状にレジストを塗布した後、金属蒸着層をエッチングすることによりパターニングすることができる。また、金属蒸着層の形成に先立ち、剥離層上に溶剤溶解性インキをスペース２２の形状に印刷し、金属蒸着層を形成した後、溶剤で前記溶剤溶解性インキを溶解除去すると同時に、このインキ上の金属蒸着層を除去する方法によってもパターニングすることができる。
【００４５】
次に、第１表示構成要素３１及び第２表示構成要素３２も印刷方法によって形成することができる。
【００４６】
また、透明保護層４０，５０としては透明フィルムを使用して、この透明フィルムをプレスして積層することができる。この透明フィルムとして、カードの種類やカード発行者名等を表示する印刷画像、磁気記録層等を設けたフィルムを使用することも可能である。
【実施例】
【００４７】
（実施例１）
カード基体１０として、厚みｈが０．６ｍｍの透明シートを使用した。
【００４８】
そして、黒色インキを使用して、カード基体１０の表面側の可変表示領域Ａに多数本の直線状遮光膜２１を印刷して、遮光性ストライプ画像２０を形成した。直線状遮光膜２１の幅ｄ２１は０．４ｍｍであり、この直線状遮光膜２１の間のスペースの幅ｄ２２も０．４ｍｍである。なお、前記直線状遮光膜２１の幅ｄ２１とカード基体１０の厚みｈとの比（ｄ２１：ｈ）は２：３である。
【００４９】
次に、カード基体１０の裏面側に、第１の表示と第２の表示とを印刷した。
【００５０】
第１の表示は、前記直線状遮光膜２１の延びる方向と同一の方向に延びる多数本の直線状の第１表示構成要素３１で構成されたもので、その幅ｄ３１は前記直線状遮光膜２１の幅ｄ２１と等しく、０．４ｍｍであり、この第１表示構成要素３１間の幅も０．４ｍｍである。なお、この第１表示構成要素３１は、図３に示すように、前記直線状遮光膜２１と位置整合して配置した。また、その色彩は青色である。
【００５１】
また、第２の表示も前記直線状遮光膜２１の延びる方向と同一の方向に延びる多数本の直線状の第２表示構成要素３２で構成され、かつ、この第２表示構成要素３２が前記第１表示構成要素３１の間に配置されたものである。このため、この第２表示構成要素３２の幅ｄ３２は前記直線状遮光膜２１の幅ｄ２１と等しく、０．４ｍｍである。また、この２表示構成要素３２は、直線状遮光膜２１の間のスペースと位置整合して配置されている。また、その色彩は赤色である。
【００５２】
次に、印刷画像と磁気テープを設けた透明フィルムを透明保護層４０，５０として使用
し、両面にプレスして積層することにより、実施例１のカード１００を製造した。
【００５３】
このカード１００をカード法線方向から観察すると、その可変表示領域Ａ全面が一様に赤色に見えた。
【００５４】
次に、カード法線方向に対して４５〜６０度傾けた角度から観察したところ、可変表示領域Ａ全面が一様に青色に見えた。
【００５５】
最後に、カード法線方向に対して６０度以上傾けた角度から観察したところ、可変表示領域Ａ全面が一様に黒色に見えた。
【００５６】
（実施例２）
多数本の直線状遮光膜２１を金属蒸着膜で構成したほかは、実施例１と同様にカードを製造した。なお、この直線状遮光膜２１は転写法を使用して形成した。
【００５７】
すなわち、まず、厚さ２５μｍの二軸延伸ポリエステルフィルムを転写基材として、このフィルム上に東洋インキ製造（株）製ＴＰ２５３Ｂ  カード用ワニスを乾燥後膜厚が１μｍとなるようにグラビアコートして、剥離層を形成した。そして、この剥離層上に金属蒸着して、金属蒸着層を形成した。
【００５８】
次に、この金属蒸着層上に直線状遮光膜２１の形状にレジストを印刷した。そして、アルカリエッチング溶液を適用して、金属蒸着層をパターニングした。
【００５９】
そして、接着剤を塗布することにより、転写箔を製造し、この転写箔をカード基体１０の表面側の可変表示領域Ａに重ね、１２０℃、２．０Ｍｐａ、２０分の条件で、パターニングされた前記金属蒸着層を転写して、直線状遮光膜２１を形成した。
【００６０】
そして、実施例１と同様に、カード基体１０の裏面側に、第１の表示と第２の表示とを印刷し、透明保護層４０，５０を積層することにより、実施例２のカード１００を製造した。
【００６１】
このカードも、カード法線方向から観察すると、その可変表示領域Ａ全面が一様に赤色に見え、カード法線方向に対して４５〜６０度傾けた角度から観察したところ、可変表示領域Ａ全面が一様に青色に見えた。また、これ以上傾けた角度から観察すると、可変表示領域Ａ全面が一様に金属光沢を持っていた。
【００６２】
（比較例）
直線状遮光膜２１の幅ｄ２１，スペースの幅ｄ２２，第１表示構成要素３１の幅ｄ３１及び第２表示構成要素３２の幅ｄ３２を０．３ｍｍとしたほかは、実施例１と同様にカードを製造した。なお、前記比ｄ２１：ｈは１：２である。
【００６３】
このカードは、観察角度を変化させても、実施例１のような色彩変化が観察できなかった。
【００６４】
（実施例３）
第１表示構成要素３１を、前記直線状遮光膜２１と整合する位置からずれて配置したほかは、実施例１と同様にカードを製造した（図５参照）。第１表示構成要素３１の端縁と直線状遮光膜２１の端縁との間の距離ｄ２３は、直線状遮光膜２１の幅ｄ２１の１／２の０．２ｍｍである。
【００６５】
このカード１００をカード法線方向から観察すると、第１表示構成要素３１の青色と第２表示構成要素３２の赤色とが混色して、その可変表示領域Ａ全面が一様に紫色に見えた。
【００６６】
次に、観察角度を傾けると、これにつれて可変表示領域Ａの色彩が、赤色、青色及び紫色の間で連続的に変化した。
【００６７】
なお、観察角度が６０度を超えると、可変表示領域Ａの色彩は黒色となった。
【符号の説明】
【００６８】
１００：カード    Ａ：可変表示領域
１０：カード基体    ｈ：カード基体の厚み
２０：遮光性ストライプ画像
２１：直線状遮光膜    ｄ２１：直線状遮光膜の幅
２２：スペース    ｄ２２：スペースの幅
３０：表示層
３１：第１表示構成要素    ｄ３１：第１表示構成要素の幅
３２：第２表示構成要素    ｄ３２：第２表示構成要素の幅
４０，５０：透明保護層
【図１】
2020071242.tif 000003
【図２】
2020071242.tif 000004
【図３】
2020071242.tif 000005
【図４】
2020071242.tif 000006
【図５】
2020071242.tif 000007
【図６】
2020071242.tif 000008